(57)【要約】【課題】特別なアラーム停止操作を行わなくても、装置本体と充電器との接続状態に応じて現在発生中のアラーム報知を停止できるようにする。【解決手段】ＣＰＵ１１は、充電コネクタ部１７からの接続状態検出信号に基づいて充電コネクタ部１７と充電スタンド３０とが電気的に接続されているか否かを監視し、アラーム報知中に充電スタンド３０との接続を解除された際に、現在発生中のアラーム報知を強制的に停止する。【選択図】  図1
2006300695.tif 000002
【特許請求の範囲】
【請求項１】
予め任意に設定されているアラーム時刻と現在時刻とを比較することによってアラーム報知を行うアラーム機能付き携帯端末装置であって、
装置本体と充電器との電気的な接続状態を示す状態情報を取得する取得手段と、
アラーム報知中に前記取得手段によって得られた状態情報に基づいてその接続状態に変化があったか否かを判別する判別手段と、
この判別手段によってアラーム報知中に充電器と装置本体との接続状態に変化があったことが判別された際に、現在発生中のアラーム報知を停止するアラーム制御手段と、
を具備したことを特徴とするアラーム機能付き携帯端末装置。
【請求項２】
装置本体と充電器とが電気的に接続されている状態においてアラーム報知中に装置本体と充電器との接続状態が解除された場合あるいはアラーム報知中に装置本体と充電器とが電気的に接続された場合に、前記アラーム制御手段は、現在発生中のアラーム報知を停止する、
ようにしたことを特徴とする請求項１記載のアラーム機能付き携帯端末装置。
【請求項３】
予め任意に設定されているアラーム時刻と現在時刻とを比較することによってアラーム報知を行うアラーム機能付き携帯端末装置であって、
装置本体を構成する複数の筐体の位置関係に応じて変化する装置本体の形態を示すスタイル情報を取得する取得手段と、
アラーム報知中に前記取得手段によって得られたスタイル情報に基づいて装置本体の形態に変化があったか否かを判別する判別手段と、
この判別手段によってアラーム報知中に装置本体の形態に変化があったことが判別された際に、現在発生中のアラーム報知を停止するアラーム制御手段と、
を具備したことを特徴とするアラーム機能付き携帯端末装置。
【請求項４】
装置本体を閉じた状態のクローズスタイルと開いた状態のオープンスタイルに変更可能な携帯端末装置において、アラーム報知中にクローズスタイルからオープンスタイルに変更された場合あるいはオープンスタイルからクローズスタイルに変更された場合に、前記アラーム制御手段は、現在発生中のアラーム報知を停止する、
ようにしたことを特徴とする請求項３記載のアラーム機能付き携帯端末装置。
【請求項５】
予め任意に設定されているアラーム時刻と現在時刻とを比較することによってアラーム報知を行うアラーム機能付き携帯端末装置であって、
装置本体の現在の位置情報を取得する取得手段と、
アラーム報知開始時に前記位置取得手段によって得られた位置情報をアラーム開始位置として記憶保持する位置記憶手段と、
アラーム報知中に前記取得手段によって得られた位置情報と前記アラーム開始位置とを比較することによって位置変化があったか否かを判別する判別手段と、
この判別手段によってアラーム報知中に位置変化があったことが判別された際に、現在発生中のアラーム報知を停止するアラーム制御手段と、
を具備したことを特徴とするアラーム機能付き携帯端末装置。
【請求項６】
アラーム報知開始時の位置情報とアラーム報知中の位置情報とを比較した際に、その距離差が予め任意に設定されている設定距離以上となった際に、前記アラーム制御手段は、現在発生中のアラーム報知を停止する、
ようにしたことを特徴とする請求項５記載のアラーム機能付き携帯端末装置。
【請求項７】
複数のアラーム時刻が設定されている状態において、前記アラーム制御手段は、現在発生中のアラーム報知を停止するほか、当該アラーム報知に関する今回のアラーム時刻以降に設定されている各アラーム時刻を一時的に無効とする、
ようにしたことを特徴とする請求項1〜３のうちその何れか記載のアラーム機能付き携帯端末装置。
【請求項８】
前記各アラーム時刻を一時的に無効とする際は、当該各アラーム時刻のうち、今回のアラーム時刻から所定時間内のアラーム時刻を一時的に無効とする、
ようにしたことを特徴とする請求項７記載のアラーム機能付き携帯端末装置。
【請求項９】
予め任意に設定されているアラーム時刻と現在時刻とを比較することによってアラーム報知を行うアラーム機能付き携帯端末装置であって、
アラーム停止が当該装置本体に対する特定操作による停止であったか否か、あるいはアラーム停止前またはアラーム停止後に当該装置本体に対して特定操作があったか否かを判別する判別手段と、
この判別手段によって特定操作があったと判別された際は、今回のアラーム時刻以降に設定されている各アラーム時刻を一時的に無効とするアラーム制御手段と、
を具備したことを特徴とするアラーム機能付き携帯端末装置。
【請求項１０】
前記特定操作は、前記装置本体を充電器から取り外す操作、あるいは開閉可能な複数筐体からなる前記装置本体を開閉する操作、あるいは前記装置本体の現在位置を変更させる操作、あるいは前記装置本体に対して所定アプリケーションを起動させて入力または閲覧する操作、
であることを特徴とする請求項９記載のアラーム機能付き携帯端末装置。
【請求項１１】
コンピュータに対して、
装置本体と充電器との電気的な接続状態を示す状態情報を取得する機能と、
アラーム報知中に取得した状態情報に基づいてその接続状態に変化があったか否かを判別する機能と、
アラーム報知中に充電器と装置本体との接続状態に変化があったことが判別された際に、現在発生中のアラーム報知を強制的に停止する機能と、
を実現させるためのプログラム。
【請求項１２】
コンピュータに対して、
装置本体を構成する複数の筐体の位置関係に応じて変化する装置本体の形態を示すスタイル情報を取得する機能と、
アラーム報知中に取得したスタイル情報に基づいて装置本体の形態に変化があったか否かを判別する機能と、
アラーム報知中に装置本体の形態に変化があったことが判別された際に、現在発生中のアラーム報知を強制的に停止する機能と、
を実現させるためのプログラム。
【請求項１３】
コンピュータに対して、
装置本体の現在の位置情報を取得する機能と、
アラーム報知開始時に取得した位置情報をアラーム開始位置として記憶保持している状態において、アラーム報知中に取得した位置情報と前記アラーム開始位置とを比較することによって位置変化があったか否かを判別する機能と、
アラーム報知中に位置変化があったことが判別された際に、現在発生中のアラーム報知を強制的に停止する機能と、
を実現させるためのプログラム。
【請求項１４】
コンピュータに対して、
アラーム停止が当該装置本体に対する特定操作による停止であったか否か、あるいはアラーム停止前またはアラーム停止後に当該装置本体に対して特定操作があったか否かを判別する機能と、
前記特定操作があったと判別された際は、今回のアラーム時刻以降に設定されている各アラーム時刻を一時的に無効とする機能と、
を実現させるためのプログラム。
【発明の詳細な説明】
【技術分野】
【０００１】
この発明は、予め任意に設定されているアラーム時刻と現在時刻とを比較することによってアラーム報知を行うアラーム機能付き携帯端末装置及びプログラムに関する。
【背景技術】
【０００２】
近年、携帯電話装置は、その多機能化が益々進み、電話機能、アラーム機能、メール機能などの多くの機能が搭載されており、このアラーム機能を目覚まし機能として利用する場合、例えば、マナーモードあるいは消音モードにセットされていてもアラーム音を強制的に鳴らすようにした携帯電話のアラーム通知装置が知られている（特許文献１参照）。
【特許文献１】特開２００３−０６６１７２号公報
【発明の開示】
【発明が解決しようとする課題】
【０００３】
このように従来では、アラーム機能を目覚まし機能として利用しているが、この場合、例えば、起床時間帯内に複数のアラーム時刻を設定したり、複数回のアラーム音を間欠的に発生するスヌーズ機能を使用するようにすれば、目覚まし効果を一層高めることが可能となるが、キー操作によってアラーム機能／スヌーズ機能を完全に停止させなければ、目覚めて起き上がった後でも無駄なアラーム音が次々に鳴るという事態を招き、また、覚醒直後の寝惚けた状態、夜間などの暗所の中でキー操作を行うことは、操作ミスなどの要因ともなる。
【０００４】
この発明の課題は、装置本体に対する特定の操作によってアラーム報知を効果的に停止できるようにすることである。
【課題を解決するための手段】
【０００５】
請求項１記載の発明は、予め任意に設定されているアラーム時刻と現在時刻とを比較することによってアラーム報知を行うアラーム機能付き携帯端末装置であって、装置本体と充電器との電気的な接続状態を示す状態情報を取得する取得手段と、アラーム報知中に前記取得手段によって得られた状態情報に基づいてその接続状態に変化があったか否かを判別する判別手段と、この判別手段によってアラーム報知中に充電器と装置本体との接続状態に変化があったことが判別された際に、現在発生中のアラーム報知を停止するアラーム制御手段とを具備したことを特徴とする。更に、コンピュータに対して、上述した請求項１記載の発明に示した主要機能を実現させるためのプログラムを提供する（請求項１１記載の発明）。
【０００６】
なお、請求項１記載の発明は、装置本体と充電器とが電気的に接続されている状態においてアラーム報知中に装置本体と充電器との接続状態が解除された場合あるいはアラーム報知中に装置本体と充電器とが電気的に接続された場合に、前記アラーム制御手段は、現在発生中のアラーム報知を強制的に停止するようにしてもよく（請求項２記載の発明）、また、複数のアラーム時刻が設定されている状態において、前記アラーム制御手段は、現在発生中のアラーム報知を停止するほか、当該アラーム報知に関する今回のアラーム時刻以降に設定されている各アラーム時刻のうち、今回のアラーム時刻から所定時間内のアラーム時刻を一時的に無効とするようにしてもよい（請求項７記載の発明）。また、前記各アラーム時刻を一時的に無効とする際は、当該各アラーム時刻のうち、今回のアラーム時刻から所定時間内のアラーム時刻を一時的に無効とするようにしてもよい（請求項８記載の発明）。
【０００７】
請求項３記載の発明は、予め任意に設定されているアラーム時刻と現在時刻とを比較することによってアラーム報知を行うアラーム機能付き携帯端末装置であって、装置本体を構成する複数の筐体の位置関係に応じて変化する装置本体の形態を示すスタイル情報を取得する取得手段と、アラーム報知中に前記取得手段によって得られたスタイル情報に基づいて装置本体の形態に変化があったか否かを判別する判別手段と、この判別手段によってアラーム報知中に装置本体の形態に変化があったことが判別された際に、現在発生中のアラーム報知を停止するアラーム制御手段とを具備したことを特徴とする。
更に、コンピュータに対して、上述した請求項３記載の発明に示した主要機能を実現させるためのプログラムを提供する（請求項１２記載の発明）。
【０００８】
なお、請求項３記載の発明は、装置本体を閉じた状態のクローズスタイルと開いた状態のオープンスタイルに変更可能な携帯端末装置において、アラーム報知中にクローズスタイルからオープンスタイルに変更された場合あるいはオープンスタイルからクローズスタイルに変更された場合に、前記アラーム制御手段は、現在発生中のアラーム報知を停止するようにしてもよく（請求項４記載の発明）、また、上述した請求項７及び８記載の発明であってもよい。
【０００９】
請求項５記載の発明は、予め任意に設定されているアラーム時刻と現在時刻とを比較することによってアラーム報知を行うアラーム機能付き携帯端末装置であって、装置本体の現在の位置情報を取得する取得手段と、アラーム報知開始時に前記位置取得手段によって得られた位置情報をアラーム開始位置として記憶保持する位置記憶手段と、アラーム報知中に前記取得手段によって得られた位置情報と前記アラーム開始位置とを比較することによって位置変化があったか否かを判別する判別手段と、この判別手段によってアラーム報知中に位置変化があったことが判別された際に、現在発生中のアラーム報知を停止するアラーム制御手段とを具備したことを特徴とする。
更に、コンピュータに対して、上述した請求項５記載の発明に示した主要機能を実現させるためのプログラムを提供する（請求項１３記載の発明）。
【００１０】
なお、請求項５記載の発明は、アラーム報知開始時の位置情報とアラーム報知中の位置情報とを比較した際に、その距離差が予め任意に設定されている設定距離以上となった際に、前記アラーム制御手段は、現在発生中のアラーム報知を停止するようにしてもよく（請求項６記載の発明）、また、上述した請求項７及び８記載の発明であってもよい。
【００１１】
請求項９記載の発明は、予め任意に設定されているアラーム時刻と現在時刻とを比較することによってアラーム報知を行うアラーム機能付き携帯端末装置であって、アラーム停止が当該装置本体に対する特定操作による停止であったか否か、あるいはアラーム停止前またはアラーム停止後に当該装置本体に対して特定操作があったか否かを判別する判別手段と、この判別手段によって特定操作があったと判別された際は、今回のアラーム時刻以降に設定されている各アラーム時刻を一時的に無効とするアラーム制御手段とを具備したことを特徴とする。
更に、コンピュータに対して、上述した請求項９記載の発明に示した主要機能を実現させるためのプログラムを提供する（請求項１４記載の発明）。
【００１２】
なお、請求項９記載の発明において、前記特定操作は、前記装置本体を充電器から取り外す操作、あるいは開閉可能な複数筐体からなる前記装置本体を開閉する操作、あるいは前記装置本体の現在位置を変更させる操作、あるいは前記装置本体に対して所定アプリケーションを起動させて入力または閲覧する操作であってもよい（請求項１０記載の発明）。
【発明の効果】
【００１３】
請求項１記載の発明によれば、装置本体と充電器との電気的な接続状態を示す状態情報を取得すると共に、アラーム報知中に取得した状態情報に基づいてその接続状態に変化があったか否かを判別し、アラーム報知中に充電器と装置本体との接続状態に変化があれば、現在発生中のアラーム報知を強制的に停止するようにしたから、特別なアラーム停止操作を行わなくても、装置本体と充電器との接続状態を変化させるだけでよく、覚醒直後の寝惚けた状態、夜間などの暗所の中でもアラームを確実に停止することが可能となる。この場合、充電器と装置本体との接続状態が変化したということは目覚めて活動し始めたと想定することもでき、例えば、スヌーズ機能にあっては、無駄なアラーム報知が次々に発生するという事態を解消することができる。
【００１４】
請求項２記載の発明によれば、上述した請求項１記載の発明と同様の効果を有するほか、装置本体と充電器とが電気的に接続されている状態においてアラーム報知中に装置本体と充電器との接続状態が解除された場合あるいはアラーム報知中に装置本体と充電器とが電気的に接続された場合に、現在発生中のアラーム報知を強制的に停止するようにしたから、装置本体を充電器から取り外したり、装置本体を充電器に接続（例えば、載置）するだけでよく、極めて簡単かつ自然な操作によってアラームを確実に停止することができる。
【００１５】
請求項７記載の発明によれば、上述した請求項１記載の発明と同様の効果を有するほか、複数のアラーム時刻が設定されている状態において、現在発生中のアラーム報知を強制的に停止するほか、当該アラーム報知に関する今回のアラーム時刻以降に設定されている各アラーム時刻を一時的に無効とするようにしたから、複数のアラーム時刻と到達する毎にアラーム停止操作を行う必要がなく、ユーザの負担を軽減することができる。この場合、このアラーム時刻の無効は、例えば、本日限りの一時的なものであって翌日には有効なアラーム時刻として復帰させるようにしてもよい。
【００１６】
この場合、各アラーム時刻を一時的に無効とする際は、当該各アラーム時刻のうち、今回のアラーム時刻から所定時間内のアラーム時刻を一時的に無効とするようにしたから（請求項８記載の発明）、例えば、今回のアラーム時刻が「７時００分」で、それ以降のアラーム時刻が「７時１０分」、「７時１５分」、「７時４５分」、「８時５０分」、‥‥であるとすると、今回のアラーム時刻「７時００分」から所定時間内（例えば、２０分以内）のアラーム時刻「７時１０分」、「７時１５分」のみを一時的に無効とすることができ、その時刻に達してもアラーム報知を禁止することが可能となる。
【００１７】
請求項３記載の発明によれば、装置本体を構成する複数の筐体の位置関係に応じて変化する装置本体の形態を示すスタイル情報を取得すると共に、アラーム報知中に取得したスタイル情報に基づいて装置本体の形態に変化があったか否かを判別し、アラーム報知中に装置本体の形態に変化があれば、現在発生中のアラーム報知を強制的に停止するようにしたから、特別なアラーム停止操作を行わなくても、装置本体の形態を変化させるだけでよく、覚醒直後の寝惚けた状態、夜間などの暗所の中でもアラームを確実に停止することが可能となる。この場合、装置本体の形態が変化したということは目覚めて活動し始めたと想定することもでき、例えば、スヌーズ機能にあっては、無駄なアラーム報知が次々に発生するという事態を解消することができる。
【００１８】
請求項４記載の発明によれば、上述した請求項３記載の発明と同様の効果を有するほか、アラーム報知中にクローズスタイルからオープンスタイルに変更された場合あるいはオープンスタイルからクローズスタイルに変更された場合に、現在発生中のアラーム報知を強制的に停止するようにしたから、クローズスタイルからオープンスタイルするという簡単な操作、自然な行為によってアラーム報知を停止することができる。なお、請求項３記載の発明においても、上述した請求項７及び８記載の発明と同様の効果を有する。
【００１９】
請求項５記載の発明によれば、アラーム報知開始時の位置情報をアラーム開始位置として記憶保持している状態において、アラーム報知中の位置情報とアラーム開始位置とを比較することによって位置変化の有無を判別し、位置が変化した際に、現在発生中のアラーム報知を強制的に停止するようにしたから、特別なアラーム停止操作を行わなくても、装置本体の位置を変化させるだけでよく、覚醒直後の寝惚けた状態、夜間などの暗所の中でもアラームを確実に停止することが可能となる。この場合、装置本体の位置が変化したということは目覚めて活動し始めたと想定することもでき、例えば、スヌーズ機能にあっては、無駄なアラーム報知が次々に発生するという事態を解消することができる。
【００２０】
請求項６記載の発明によれば、上述した請求項５記載の発明と同様の効果を有するほか、アラーム報知開始時の位置情報とアラーム報知中の位置情報とを比較した際に、その距離差が予め任意に設定されている設定距離以上となった際に、現在発生中のアラーム報知を強制的に停止するようにしたから、ユーザの生活行動などを考慮して例えば、設定距離を「２ｍ」、「１０ｍ」など任意に設定することができる。なお、請求項５記載の発明においても、上述した請求項７及び８記載の発明と同様の効果を有する。
【００２１】
請求項９記載の発明によれば、アラーム停止が装置本体に対する特定操作による停止であったか否か、あるいはアラーム停止前またはアラーム停止後に当該装置本体に対して特定操作があったか否かを判別し、特定操作であれば、今回のアラーム時刻以降に設定されている各アラーム時刻を一時的に無効とするようにしたから、複数のアラーム時刻に到達する毎に、無駄なアラーム報知が次々に発生するという事態を解消することができるほか、アラーム停止操作をその都度行う必要がなく、ユーザの負担を軽減することができる。
【００２２】
この場合、特定操作は、装置本体を充電器から取り外す操作、あるいは開閉可能な複数筐体からなる装置本体を開閉する操作、あるいは装置本体の現在位置を変更させる操作、あるいは装置本体に対して所定アプリケーションを起動させて入力または閲覧する操作であるから（請求項１０記載の発明）、特定操作が行われたということは、目覚めて活動し始めたと想定することができる。
【発明を実施するための最良の形態】
【００２３】
以下、図１〜図５を参照して本発明の実施例を説明する。
この実施例は、携帯端末装置として携帯電話装置に適用した場合を例示したもので、図１は、携帯電話装置の外観図であり、折り畳み型の装置本体を開いた状態での正面図を示している。
この携帯電話装置は、二次電池を主電源として動作するもので、電話機能、メール機能、カメラ撮影機能、インターネット接続機能以外の付加機能として、アラーム機能などが装備されている。この装置本体は、二つの筐体１、２から構成されており、メイン表示部３を備えた第１の筐体(上部筐体)１と、キー操作部４を備えた第２の筐体(下部筐体)２とは、ヒンジ機構部(連結部)５を介して取り付けられており、このヒンジ機構部５は、上部筐体１と下部筐体２とを開閉可能(装置本体を折り畳み可能)に連結する。
【００２４】
上部筐体１側に設けられているメイン表示部３の右上角部の近傍には、通話機能を構成する音声スピーカ(例えば、ダイナミックスピーカ)６が配置され、また、下部筐体２側に設けられているキー操作部４の右下の角部近傍には、磁気センサ７が配置されており、装置本体を閉じることによって音声スピーカ６と磁気センサ７とが近接対向した際に、磁気センサ７は、音声スピーカ６のからの磁界に反応してオンとなり、ハイレベルの検出信号を出力する。この検出信号は、装置本体を閉じた状態の「クローズスタイル」であるか、開いた状態の「オープンスタイル」であるかを検出するもので、「クローズスタイル」ではハイレベルとなり、「オープンスタイル」ではローレベルとなるスタイル検出信号である。なお、磁気センサ７は、デジタルタイプのホール素子などによって構成されたものであるが、磁気センサに限らず、電気的、機構的、光学的手段の何れかあるいはそれらの組み合わせによって現在のスタイルを検出するようにしてもよい。
【００２５】
メイン表示部３は、折り畳み式の装置本体を開いた状態の「オープンスタイル」において、文字情報、画像情報などを高精細に表示可能なバックライト付きの液晶表示部である。キー操作部４は、押しボタン式の各種のキーを備え、ダイヤル入力、文字入力、コマンド入力などを行うもので、このキー操作部１には、メニュー画面の表示出力させるメニューキー、電話番号などを入力するダイヤルキーと、４方向に対応してメニュー項目などを選択する方向キーと、方向キーで選択された項目を決定するときなどに使用される決定キーを有している。
【００２６】
図２は、携帯電話装置の基本的構成要素を示したブロック図である。
ＣＰＵ１１は、記憶部１２内の各種のプログラムに応じてこの携帯電話装置の全体動作を制御する中央演算処理装置である。記憶部１２は、不揮発性メモリ(内部メモリ)であり、例えば、フラッシュメモリなどによって構成され、プログラム領域とデータ領域とを有し、このプログラム領域には、後述する図４及び図５に示す動作手順に応じて本実施例を実現するためのプログラムが格納されている。メモリ１３は、ワーク領域を有する内部メモリであり、例えば、ＤＲＡＭ（Direct Random Access Memory）、ＳＤＲＡＭ（Synchronous DRAM）などによって構成され、また、メモリカード１４は、着脱自在な記録メディアであり、例えば、スマートメディア、ＩＣカードなどによって構成され、メモリ１３との間においてデータの授受が行われる。
【００２７】
ＣＰＵ１１には、その入出力周辺デバイスであるメイン表示部３、キー操作部４、磁気センサ７、電話通信部１５、カメラ撮像部１６、充電コネクタ部１７、ＧＰＳ(Global Positioning System)受信部１８、報知用ＬＥＤ１９、報知用スピーカ２０などが接続されている。この磁気センサ７からの検出信号に基づいてＣＰＵ１は、装置本体を閉じた状態の「クローズスタイル」か、開いた状態の「オープンスタイル」かを監視しており、アラーム報知にクローズスタイルからオープンスタイルに変更された場合あるいはオープンスタイルからクローズスタイルに変更された場合に、現在発生中のアラーム報知を強制的に停止するようにしている。
【００２８】
報知用ＬＥＤ１９、報知用スピーカ２０は、着信報知用あるいはアラーム報知用として使用されるもので、ＣＰＵ１１は、報知用スピーカ９から着信音／アラーム音を発生出力させると共に報知用ＬＥＤ８を点滅駆動させる。電話通信部１５は、アンテナ２１からの受信電波を増幅して受信ベースバンド信号に復調すると共に、この受信ベースバンド信号をデジタル変換するもので、ＣＰＵ１１は、電話通信部１５からの受信結果に基づいて電話呼び出し、電子メール受信、インターネット接続に応じた処理を実行する。カメラ撮像部１６は、静止画撮影、動画撮影が可能なデジタルカメラ部である。
【００２９】
充電コネクタ部１７は、装置本体の下部側に設けられ、装置本体を外部機器である充電スタンド３０に載置（接続）すると、充電スタンド３０は、充電コネクタ部１７を介して充電電流を供給して装置本体内の二次電池を充電する。この場合、充電コネクタ部１７は、充電スタンド３０に載置（接続）されているか否かを示す接続状態検出信号を出力してＣＰＵ１１に与える。ＣＰＵ１１は、充電コネクタ部１７からの接続状態検出信号に基づいて充電コネクタ部１７と充電スタンド３０とが電気的に接続されているか否かを監視し、アラーム報知中に充電スタンド３０から取り外された場合、つまり、充電スタンド３０との接続状態が解除された場合に、現在発生中のアラーム報知を強制的に停止するようにしている。
【００３０】
ＧＰＳ受信部１８は、衛星と地上の制御局を利用し、複数の衛星からの電波の到着時間の差から厳密に測定された現在位置(経緯度)を受信するもので、ＣＰＵ１１は、例えば、１０秒間隔毎にＧＰＳ受信部１８をアクセスしてＧＰＳ測定位置を受信取得しながら現在のユーザ位置(装置本体の位置)を監視するようにしている。なお、この実施例においては、ＧＰＳ受信部１８を使用したが、地上系の複数局に対する電波の到着時間の差あるいは位置関係などからユーザの現在位置を測定するようにしてもよい。ここで、ＣＰＵ１１は、ＧＰＳ受信部１８から定期的（例えば、１０秒間隔毎）に位置情報を取得すると共に、アラーム報知開始時に取得した位置情報（アラーム開始位置）とアラーム報知中に取得した位置情報とを比較することによってアラーム報知中の位置が変化したか否かを検出すると共に、その変化量（距離差）を求め、この距離差が所定距離（例えば、２ｍ）以上か否かを判別し、所定距離以上変化した場合に、現在発生中のアラーム報知を強制的に停止するようにしている。
【００３１】
図３は、アラームメモリＭ１、開始位置メモリＭ２、アラームフラグメモリＭ３を説明するための図である。
アラームメモリＭ１は、予め任意に設定された複数のアラーム時刻を記憶するもので、複数の「アラーム時刻（１）」、「アラーム時刻（２）」、「アラーム時刻（３）」、‥‥、に対応して「有効フラグ」を記憶する構成となっている。ＣＰＵ１１は、アラームメモリＭ１に設定されている各アラーム時刻と時計機能によって得られた現在日時とを比較することによってアラーム時刻に達したか否かを監視しており、何れかのアラーム時刻に達した際に、報知用ＬＥＤ１９及び報知用スピーカ２０を駆動させてアラーム報知を行う。
【００３２】
「アラーム時刻」は、年月日、曜日、時分秒によって任意に設定された情報であり、例えば、月曜日〜金曜日の午前７時００分、７時１０分、７時１５分、８時５０分、‥‥、のような設定が行われる。なお、アラーム時刻は、スヌーズ機能用のアラーム時刻であってもよく、この設定アラーム時刻から所定時間（例えば、５分間隔）毎に複数回のアラーム報知が間欠的に行われる。「有効フラグ」は、対応する設定アラーム時刻の有効／無効を示すフラグであり、「有効フラグ」が“ＯＮ”されている場合には 設定アラーム時刻の有効、“ＯＦＦ” されている場合には 設定アラーム時刻の無効を示している。
【００３３】
開始位置メモリＭ２は、アラーム報知開始時にＧＰＳ受信部１８から取得した現在の位置情報をアラーム開始位置として記憶保持するもので、ＣＰＵ１１は、ＧＰＳ受信部１８から定期的（例えば、１０秒間隔毎）に取得したアラーム報知中の位置情報と開始位置メモリＭ２に記憶保持されているアラーム開始位置とを比較することによってアラーム報知中にアラーム報知を開始してから位置が変化したか否かの判別を行うようにしている。
アラームフラグメモリＭ３は、報知用ＬＥＤ１９及び報知用スピーカ２０によってアラーム報知を行っているアラーム発生中であることを示すフラグがセットされるもので、ＣＰＵ１１は、アラーム時刻に一致した際に、アラームフラグを“ＯＮ”し、キー操作によるアラーム停止あるいは上述の強制停止に応じて当該フラグを“ＯＦＦ”するようにしている。
【００３４】
次ぎに、この実施例における携帯電話装置の動作概念を図４及び図５に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。すなわち、伝送媒体を介して外部供給されたプログラム／データを利用してこの実施例特有の動作を実行することもできる。
【００３５】
図４及び図５は、電源投入に伴って実行開始される携帯電話装置の全体動作を示したフローチャートである。
先ず、ＣＰＵ１１は、待ち受け状態において所定の待ち受け画像を読み出して表示出力させている状態において（ステップＳ１）、電話あるいはメールの着信有無をチェックし(ステップＳ２)、電話着信あるいはメール着信を検出すると、着信対応処理を実行して報知用ＬＥＤ１９を点滅駆動させるほか、報知用スピーカ２０から着信音を出力させると共に通話処理あるいは受信メール格納処理を実行するが(ステップＳ３)、着信無しの場合には（ステップＳ２でＮＯ）、キー操作の有無をチェックする（ステップＳ４）。
【００３６】
ここで、キー操作有りが検出されると（ステップＳ４でＹＥＳ）、アラームフラグメモリＭ３を参照し、アラームフラグのＯＮ／ＯＦＦ状態に基づいてアラーム報知中か否かをチェックし（ステップＳ５）、アラーム報知中にアラーム停止操作が行われた場合には、アラーム報知を停止させてアラームフラグを“ＯＦＦ”する（ステップＳ６）。また、アラームフラグが“ＯＦＦ”されている状態においてキー操作が行われた場合には、操作キー対応処理の実行に移る（ステップＳ７）。ここで、アラーム時刻の設定操作が行われた際には、任意に入力されたアラーム時刻をアラームメモリＭ１に設定登録するアラーム設定処理が実行されるが、その際、このアラーム時刻に対応して「有効フラグ＝“ＯＮ”」が初期設定される。
【００３７】
一方、キー操作無しの状態において（ステップＳ４でＮＯ）、ＣＰＵ１１は、アラームメモリＭ１に設定されている各アラーム時刻と時計機能によって得られた現在日時とを比較し、現在日時とアラーム時刻との一致有無を監視し（ステップＳ８）、何れかのアラーム時刻にも一致しなければ、図５のステップＳ１５に移るが、何れかのアラーム時刻に一致した際には、先ず、このアラーム時刻対応の「有効フラグ」のＯＮ／ＯＦＦ状態をチェックする（ステップＳ９）。ここで、「有効フラグ」が“ＯＮ”されていれば、報知用ＬＥＤ１９及び報知用スピーカ２０を駆動させてアラーム報知を開始した後に（ステップＳ１０）、アラーム報知中であることを示すためにアラームフラグを“ＯＮ”に切り換える（ステップＳ１１）。そして、アラーム報知を開始したときの現在位置をＧＰＳ受信部１８から取得して、この位置情報をアラーム開始位置として開始位置メモリＭ２に記憶保持しておく（ステップＳ１２）。
【００３８】
また、アラーム時刻の到達時（一致時）に当該アラーム時刻対応の「有効フラグ」が“ＯＦＦ”されていれば（ステップＳ９でＮＯ）、この「有効フラグ」を“ＯＦＦ”から“ＯＮ”に切り換える（ステップＳ１３）。この場合、アラーム報知をキャンセルして最初のステップＳ１に戻る。すなわち、「有効フラグ」が“ＯＦＦ”されている場合には、このアラーム時刻に到達しても当該アラーム報知をキャンセルするが、このアラーム報知の無効は、本日限りであって翌日のアラーム報知までも無効としないようにするために「有効フラグ」を“ＯＦＦ”から“ＯＮ”に切り換える。
【００３９】
図５のステップＳ１５は、磁気センサ７からの検出信号に基づいて装置本体の開閉操作が行われたか、つまり、スタイルが変更されたかをチェックするもので、このステップＳ１５で開閉操作有りが検出されると、閉から開、つまり、「クローズスタイル」から「オープンスタイル」に変化したのかをチェックし（ステップＳ１６）、「クローズスタイル」から「オープンスタイル」への変化であれば、メイン表示部３のバックライトを“ＯＮ”させ（ステップＳ１７）、「オープンスタイル」から「クローズスタイル」への変化であれば（ステップＳ１６でＮＯ）、メイン表示部３のバックライトを“ＯＦＦ”させる（ステップＳ１８）。そして、アラームフラグのＯＮ／ＯＦＦ状態をチェックし（ステップＳ１９）、“ＯＦＦ”されていれば、最初のステップＳ１に戻る。
【００４０】
また、アラームフラグが“ＯＮ”されているアラーム報知中にスタイルを変更するための開閉操作が行われた場合には（ステップＳ１９でＹＥＳ）、現在発生中のアラーム報知を強制的に停止すると共に、アラームフラグを“ＯＦＦ”に切り換えるほか（ステップＳ２０）、開始位置メモリＭ２の内容をクリアしておく（ステップＳ２１）。そして、アラームメモリＭ１を参照し、強制停止したアラーム報知に関する今回のアラーム時刻以降に設定されている各アラーム時刻のうち、今回のアラーム時刻から３０分以内に該当するアラーム時刻の設定有無を調べる（ステップＳ２２）。
【００４１】
例えば、「７時００分」、「７時１０分」、「７時１５分」、「８時５０分」、‥‥、がアラームメモリＭ１に設定されている状態において、アラーム報知を強制停止した今回のアラーム時刻が「７時００分」であれば、それ以降で３０分以内に該当するアラーム時刻は、「７時１０分」及び「７時１５分」となる。このように条件に該当するアラーム時刻が設定されていれば（ステップＳ２２でＹＥＳ）、当該アラーム時刻の設定を一時的に無効とするために、このアラーム時刻対応の「有効フラグ」を“ＯＦＦ”に切り換える（ステップＳ２３）。
【００４２】
同様に、ＣＰＵ１１は、充電コネクタ部１７からの接続状態検出信号に基づいて充電スタンド３０との接続状態に変化があったか否かを監視し（ステップＳ２４）、その接続状態に変化があった場合には、充電スタンド３０との接続状態が変化したかをチェックし（ステップＳ２５）、充電スタンド３０との接続状態が解除された際には、アラームフラグのＯＮ／ＯＦＦ状態をチェックし（ステップＳ１９）、アラーム報知中に充電スタンド３０から外された場合には（ステップＳ１９でＹＥＳ）、現在発生中のアラーム報知を強制的に停止すると共に、アラームフラグを“ＯＦＦ”するほか（ステップＳ２０）、開始位置メモリＭ２の内容をクリアする（ステップＳ２１）。そして、アラームメモリＭ１を参照し、強制停止したアラーム報知に関する今回のアラーム時刻以降に設定されている各アラーム時刻のうち、今回のアラーム時刻から３０分以内に該当するアラーム時刻が設定されていることを条件に（ステップＳ２２でＹＥＳ）、当該アラーム時刻対応の「有効フラグ」を“ＯＦＦ”に切り換える（ステップＳ２３）。
【００４３】
また、ＣＰＵ１１は、ＧＰＳ受信部１８から１０秒間隔毎に位置情報を取得するために、位置取得のタイミングに達したか否かを監視し（ステップＳ２６）、前回取得から１０秒経過前であれば、最初のステップＳ１に戻るが、１０秒経過したときにはＧＰＳ受信部１８から現在位置を取得する（ステップＳ２７）。そして、アラームフラグのＯＮ／ＯＦＦ状態をチェックし（ステップＳ２８）、アラームフラグが“ＯＮ”されているアラーム報知中であれば、今回取得した現在の位置情報と開始位置メモリＭ２に記憶保持されているアラーム開始位置とを比較してその位置変化（距離差）を算出すると共に（ステップＳ２９）、この距離差が所定距離（例えば、２ｍ）以上であるか否かをチェックする（ステップＳ３０）。
【００４４】
ここで、アラーム開始位置と今回の位置との距離差が所定距離以上であれば（ステップＳ３０でＹＥＳ）、現在発生中のアラーム報知を強制的に停止すると共に、アラームフラグを“ＯＦＦ”するほか（ステップＳ２０）、開始位置メモリＭ２の内容をクリアする（ステップＳ２１）。そして、アラームメモリＭ１を参照し、強制停止したアラーム報知に関する今回のアラーム時刻以降に設定されている各アラーム時刻のうち、今回のアラーム時刻から３０分以内に該当するアラーム時刻が設定されていることを条件に（ステップＳ２２でＹＥＳ）、当該アラーム時刻対応の「有効フラグ」を“ＯＦＦ”に切り換える（ステップＳ２３）。なお、アラーム報知中でない場合（ステップＳ２８でＮＯ）あるいはアラーム開始位置と今回の位置との距離差が所定距離未満の場合には（ステップＳ３０でＮＯ）、最初のステップＳ１に戻る。
【００４５】
以上のように、この実施例においてＣＰＵ１１は、充電コネクタ部１７からの接続状態検出信号に基づいて充電コネクタ部１７と充電スタンド３０とが電気的に接続されているか否かを監視し、アラーム報知中に充電スタンド３０との接続を解除された際に、現在発生中のアラーム報知を強制的に停止するようにしたから、特別なアラーム停止操作を行わなくても、充電スタンド３０から取り外すだけでよく、覚醒直後の寝惚けた状態、夜間などの暗所の中でも確実なアラーム停止が可能となる。この場合、充電コネクタ部１７と充電スタンド３０とが電気的に接続されている状態においてアラーム報知中に充電コネクタ部１７と充電スタンド３０との接続状態が解除された場合に、現在発生中のアラーム報知を強制的に停止するようにしたから、充電スタンド３０から取り外すだけでよく、極めて簡単かつ自然な操作によってアラームを確実に停止することができる。
【００４６】
また、ＣＰＵ１１は、磁気センサ７からの検出信号に基づいて装置本体を閉じた状態の「クローズスタイル」か、開いた状態の「オープンスタイル」かを判別し、アラーム報知中にクローズスタイルからオープンスタイルに変更された場合あるいはオープンスタイルからクローズスタイルに変更された場合に、現在発生中のアラーム報知を強制的に停止するようにしたから、特別なアラーム停止操作を行わなくても、装置本体の形態を変化させるだけでよく、覚醒直後の寝惚けた状態、夜間などの暗所の中でも極めて簡単かつ自然な操作によってアラームを確実に停止することができる。この場合、装置本体の形態が変化したということは目覚めて活動し始めたと想定することもでき、例えば、スヌーズ機能にあっては、無駄なアラーム報知が次々に発生するという事態を解消することができる。
【００４７】
また、ＣＰＵ１１は、ＧＰＳ受信部１８から１０秒間隔毎に位置情報を取得すると共に、アラーム報知開始時に取得した位置情報（アラーム開始位置）とアラーム報知中に取得した位置情報とを比較することによってアラーム報知中の位置が変化したか否かを検出すると共に、その変化量（距離差）を求め、この距離差が所定距離（例えば、２ｍ）以上か否かを判別し、所定距離以上変化した場合に、現在発生中のアラーム報知を強制的に停止するようにしたから、特別なアラーム停止操作を行わなくても、ユーザの生活行動などに応じて位置を変化させるだけでよく、覚醒直後の寝惚けた状態、夜間などの暗所の中でもアラームを確実に停止することが可能となる。この場合、装置本体の位置が変化したということは目覚めて活動し始めたと想定することもでき、例えば、スヌーズ機能にあっては、無駄なアラーム報知が次々に発生するという事態を解消することができる。
【００４８】
ＣＰＵ１１は、アラームメモリＭ１に複数のアラーム時刻が設定されている状態において、現在発生中のアラーム報知を強制的に停止するほか、当該アラーム報知に関する今回のアラーム時刻以降に設定されている各アラーム時刻のうち、今回のアラーム時刻から所定時間内のアラーム時刻を一時的に無効とするようにしたから、例えば、今回のアラーム時刻が「７時００分」で、それ以降のアラーム時刻が「７時１０分」、「７時１５分」、「７時４５分」、「８時５０分」、‥‥であるとすると、今回のアラーム時刻「７時００分」から所定時間内（例えば、２０分以内）のアラーム時刻である「７時１０分」、「７時１５分」のみを一時的に無効とすることができ、その時刻に達してもアラーム報知を禁止することが可能となり、複数のアラーム時刻と到達する毎にアラーム停止操作を行う必要がなく、ユーザの負担を軽減することができる。なお、このアラーム時刻の無効は、本日限りの一時的なものであって翌日には有効なアラーム時刻として復帰する。
【００４９】
なお、上述した実施例においては、充電コネクタ部１７からの接続状態検出信号に基づいて充電コネクタ部１７と充電スタンド３０とが電気的に接続されているか否かを監視し、アラーム報知中に充電スタンド３０から取り外された場合に、現在発生中のアラーム報知を強制的に停止するようにしたが、アラーム報知中に充電コネクタ部１７と充電スタンド３０とが電気的に接続された場合に、現在発生中のアラーム報知を強制的に停止するようにしてもよい。この場合においても、充電スタンド３０に載置（接続）するという簡単かつ自然な操作によってアラームを停止することができる。
【００５０】
また、上述した実施例においては、「クローズスタイル」、「オープンスタイル」に変更可能な折り畳み型の携帯電話に適用した場合を例示したが、上部筐体と下部筐体とがスライド可能に取り付けられたスライド型携帯電話、下部筐体に対して上部筐体が回転可能に取り付けられた回転型携帯電話あるいは折り畳み・回転複合型の携帯電話などにも同様に適用可能である。つまり、装置本体を構成する複数の筐体の位置関係に応じて装置本体の形態を任意に変化可能であれば、折り畳み型の携帯電話に問わない。
【００５１】
また、アラーム報知中の位置変化量（距離差）との比較対象である所定距離は、固定的な値に限らず、ユーザが任意に設定した値であってもよい。この場合、例えば、２ｍ、５ｍ、１０ｍなどの中から所望する値を任意に選択するようにしてもよい。
その他、携帯電話装置に限らず、例えば、電子マネー機能付きのＰＤＡ、電子カメラ、電子腕時計、音楽再生機などの携帯端末装置であっても同様に適用可能である。
【００５２】
更に、上述した実施例においては、アラーム報知中に装置本体に対する特定操作として、特定充電スタンド３０との接続を解除された場合、アラーム報知中にクローズスタイルからオープンスタイルあるいはオープンスタイルからクローズスタイルに変更された場合、アラーム報知中に位置が所定距離以上変化した場合を例示したが、装置本体に対する特定操作としては、その他に、例えば、所定アプリケーション（例えば、メール入力／閲覧、ＷＥＢ閲覧等）を起動させて入力または閲覧を指示する起動操作であってもよい。つまり、目覚めて活動し始めたことを想定することが可能な操作であれば、任意である。
【００５３】
また、上述した実施例においては、特定操作に応答して現在発生中のアラーム報知を停止するようにしたが、ＣＰＵ１１は、アラーム停止前あるいはアラーム停止後に当該装置本体に対して特定操作があったか否かを判別し、アラーム停止前あるいはアラーム停止後の特定操作に応答して今回のアラーム時刻以降に設定されている各アラーム時刻を一時的に無効とするようにしてもよい。この場合、上述した実施例と同様、各アラーム時刻を一時的に無効にする際には、当該各アラーム時刻のうち、今回のアラーム時刻から所定時間内（例えば、２０分以内）の各アラーム時刻を一時的に無効とするようにしてもよい。
【００５４】
このように特定操作に応答して今回のアラーム時刻以降に設定されている各アラーム時刻を一時的に無効とすることによって複数のアラーム時刻に到達する毎に、無駄なアラーム報知が次々に発生するという事態を解消することができるほか、アラーム停止操作をその都度行う必要がなく、ユーザの負担を大幅に軽減することが可能となる。なお、アラーム停止前の特定操作とは、例えば、アラーム時刻に到達するまでの所定時間内（例えば、５分前／１０分前）に特定操作が行われた場合であり、また、アラーム停止後の特定操作とは、例えば、アラーム時刻に到達した後、所定時間（例えば、５分／１０分）が経過する前に特定操作が行われた場合等である。
【００５５】
一方、コンピュータに対して、上述した各手段を実行させるためのプログラムコードをそれぞれ記録した記録媒体（たとえば、ＣＤ−ＲＯＭ、フレキシブルディスク、ＲＡＭカード等）を提供するようにしてもよい。すなわち、コンピュータが読み取り可能なプログラムコードを有する記録媒体であって、装置本体と充電器との電気的な接続状態を示す状態情報を取得する機能と、アラーム報知中に取得した状態情報に基づいてその接続状態に変化があったか否かを判別する機能と、アラーム報知中に充電器と装置本体との接続状態に変化があったことが判別された際に、現在発生中のアラーム報知を強制的に停止する機能とを実現させるためのプログラムを記録したコンピュータが読み取り可能な記録媒体を提供するようにしてもよい。
【００５６】
また、コンピュータが読み取り可能なプログラムコードを有する記録媒体であって、装置本体を構成する複数の筐体の位置関係に応じて変化する装置本体の形態を示すスタイル情報を取得する機能と、アラーム報知中に取得したスタイル情報に基づいて装置本体の形態に変化があったか否かを判別する機能と、アラーム報知中に装置本体の形態に変化があったことが判別された際に、現在発生中のアラーム報知を強制的に停止する機能とを実現させるためのプログラムを記録したコンピュータが読み取り可能な記録媒体を提供するようにしてもよい。
【００５７】
また、コンピュータが読み取り可能なプログラムコードを有する記録媒体であって、装置本体の現在の位置情報を取得する機能と、アラーム報知開始時に取得した位置情報をアラーム開始位置として記憶保持している状態において、アラーム報知中に取得した位置情報と前記アラーム開始位置とを比較することによって位置変化があったか否かを判別する機能と、アラーム報知中に位置変化があったことが判別された際に、現在発生中のアラーム報知を強制的に停止する機能とを実現させるためのプログラムを記録したコンピュータが読み取り可能な記録媒体を提供するようにしてもよい。
【００５８】
また、コンピュータが読み取り可能なプログラムコードを有する記録媒体であって、アラーム停止が当該装置本体に対する特定操作による停止であったか否か、あるいは前記アラーム停止前またはアラーム停止後に当該装置本体に対して特定操作があったか否かを判別する機能と、前記特定操作があったと判別された際は、今回のアラーム時刻以降に設定されている各アラーム時刻を一時的に無効とする機能とを実現させるためのプログラムを記録したコンピュータが読み取り可能な記録媒体を提供するようにしてもよい。
【図面の簡単な説明】
【００５９】
【図１】携帯電話装置の外観図で、折り畳み型の装置本体を開いた状態での正面図。
【図２】携帯電話装置の基本的構成要素を示したブロック図。
【図３】アラームメモリＭ１、開始位置メモリＭ２、アラームフラグメモリＭ３を説明するための図。
【図４】電源投入に伴って実行開始される携帯電話装置の全体動作を示したフローチャート。
【図５】図４に続く、フローチャート。
【符号の説明】
【００６０】
１  上部筐体
２  下部筐体
３  メイン表示部
４  キー操作部
６  音声スピーカ
７  磁気センサ
１１  ＣＰＵ
１２  記憶部
１３  メモリ
１４  メモリカード
１７  充電コネクタ部
１８  ＧＰＳ受信部
１９  報知用ＬＥＤ
２０  報知用スピーカ
３０  充電スタンド
Ｍ１  アラームメモリ
Ｍ２  開始位置メモリ
Ｍ３  アラームフラグメモリ
【図１】
2006300695.tif 000003
【図２】
2006300695.tif 000004
【図３】
2006300695.tif 000005
【図４】
2006300695.tif 000006
【図５】
2006300695.tif 000007